(57)【要約】【課題】使用者の指紋による汚染程度に応じて、エラー訂正能力の異なるコード率を有するエラー訂正コードを採用してデータを記録することにより、データ再生能力を向上させることができる多重エラー訂正コード率を有するホログラフィックロムディスクを提供する。【解決手段】ホログラフィックロム用ディスクの領域を汚染度に応じてＮ（Ｎは正の整数）等分し、前記汚染度に比例して前記エラー訂正コードのエラー訂正能力を調節することができる。【選択図】図３
2005129195.tif 000002
【特許請求の範囲】
【請求項１】
エラー訂正コードが適用されたベアタイプのホログラフィックロム用ディスクにおいて、
ホログラフィックロム用ディスクの領域を汚染度に応じてＮ（Ｎは正の整数）等分し、前記汚染度に比例して前記エラー訂正コードのエラー訂正能力を調節することができることを特徴とする多重エラー訂正コード率を有するホログラフィックロムディスク。
【請求項２】
前記汚染度が低くなるに従い、前記エラー訂正コードのエラー訂正用パリティを所定の設定間隔で減らすことで、コード率を所定の設定間隔で高めることを特徴とする請求項１に記載の多重エラー訂正コード率を有するホログラフィックロムディスク。
【請求項３】
前記Ｎは２であることを特徴とする請求項１に記載の多重エラー訂正コード率を有するホログラフィックロムディスク。
【請求項４】
前記エラー訂正コードとしてリード−ソロモン（Reed-Solomon）コードを使用することを特徴とする請求項１に記載の多重エラー訂正コード率を有するホログラフィックロムディスク。
【発明の詳細な説明】
【技術分野】
【０００１】
本発明はホログラフィックロム用ディスクに係り、より詳しくは多重エラー訂正コード率を有するホログラフィックロムディスクに関するものである。
【背景技術】
【０００２】
近年、映画のような莫大な量のデータを格納することができる光学記憶システムに対する要求が増加するに従い、ＲＯＭ装置を備えたホログラフィックデジタルデータ記憶システム、つまりホログラフィックロムシステムに対する研究及び開発が活発に進行されつつある。
【０００３】
ホログラフィックロムシステムは、カートリッジのないベアタイプのホログラフィックロム用ディスクに、記録用参照光とデータにより変調された信号光を入射させてその干渉パターンを記録させ、記録時に使用した記録用参照光と同一の波長を有する再生用参照光を、干渉パターンが記録されたホログラフィックロム用ディスクに入射させることで、データを再生させる。
【０００４】
ところで、使用者がホログラフィックロム用ディスクをホログラフィックロムシステムに装着するか取り扱う過程で、このようなベアタイプのホログラフィックロム用ディスクは使用者の指紋に汚染し易い。特に、外周面が内周面に比べて指紋などのような異物による汚染度が高い。
【０００５】
このような異物による汚染を防止するため、ホログラフィックロムシステムは、ホログラフィックロム用ディスクにデータを記憶するとき、エラー訂正コードを用いてデータを記憶させる。
【０００６】
データの記録時、従来のエラー訂正コードの構造を図１に基づいて説明する。
【０００７】
一般に、データシンボルをホログラフィックロム用ディスクに記録するに先立ち、パリティシンボルを作るように暗号化される。その後、パリティシンボルはデータシンボルに付け加わり、結局コードワードシンボルを形成する。このようなコードワードシンボルがホログラフィックロム用ディスクに記憶される。記憶されたデータを読み取る場合は、データシンボルを含んでいるコードワードシンボルがディスクから再生され、デコードされる。このようなデコード過程で、データのエラーは、パリティシンボルを操作することにより、見付けて訂正することができる。
【０００８】
エラー訂正コードの構造は、一般的な情報記憶装置に主に採択されるリード−ソロモン（Reed-Solomon）コードを使用する。すなわち、図１に示すように、エラー訂正コードの構造はｋデータシンボルとｔのパリティシンボルからなるｎ個のコードワード（codeword）シンボルからなっている。この際、コード率はｋ／ｎであり、エラー訂正能力は、下記の数学式１のように、コードワード内でＴの値となる。
【０００９】
ｔ＝Ｔ／２＝（ｎ−ｋ）／２  （数学式１）
ここで、１シンボルは８ビットからなったものが普通である。
【００１０】
例えば、ＲＳ（２５５、２２３）コード、つまり２２３個のデータシンボルを含む２５５のコードワードシンボルからなるＲＳコードを前記数学式１に適用してエラー訂正能力を算出すると、エラー訂正能力は１６シンボル、つまり１６バイトとなる。
【００１１】
このようなエラー訂正コードは、ホログラフィックロム用ディスクの内周面と外周面にかかわらず、同一の構造を有する。
【００１２】
しかし、指紋などのような異物により汚染する汚染度がホログラフィックロム用ディスクの内周面と外周面において異なるにもかかわらず、エラー訂正コードを一様に適用してデータを記録するため、繰り返し指紋に露出する外周面ではエラー訂正能力を超える。よって、データ再生の際、再生効率が急激に低下するだけでなく、結局再生ができない場合が発生する問題点がある。
【発明の開示】
【発明が解決しようとする課題】
【００１３】
したがって、本発明はこのような従来技術の問題点を解決するためになされたもので、その目的は、使用者の指紋による汚染程度に応じて、エラー訂正能力の異なるコード率を有するエラー訂正コードを採用してデータを記録することにより、データ再生能力を向上させることができる、多重エラー訂正コード率を有するホログラフィックロムディスクを提供することにある。
【課題を解決するための手段】
【００１４】
前記のような目的を達成するための本発明は、エラー訂正コードが適用されたベアタイプのホログラフィックロム用ディスクにおいて、ホログラフィックロム用ディスクの領域を汚染度に応じてＮ（Ｎは正の整数）等分し、前記汚染度に比例して前記エラー訂正コードのエラー訂正能力を調節することができる、多重エラー訂正コード率を有するホログラフィックロムディスクを提供する。
【発明の効果】
【００１５】
以上のような本発明によると、指紋による汚染度に応じて、相違したコード率とエラー訂正用パリティを有するエラー訂正コードを用いて、ベアタイプのホログラフィックロム用ディスクにデータを記録することにより、再生効率を向上させることができる。
【発明を実施するための最良の形態】
【００１６】
以下、添付図面に基づいて本発明の実施例を詳細に説明する。
【００１７】
図２に示すように、ベアタイプのホログラフィックロムディスクを二つの領域、つまりディスクの中心から遠く離れている外周面Ｂと、中心に近い内周面Ａとに区画したと仮定する。一般に、ディスクの外周部に行くほど、使用者の指紋のような異物により多く露出するため、ディスクの中心からの距離に比例して汚染確率及び汚染度は高くなると言える。したがって、外周面Ｂは、使用者がディスクを取り扱うとき、使用者の指紋による汚染度が高いため、コード率が低くてエラー訂正パリティが多く付与されたエラー訂正コードを用いてデータを記録し、内周面Ａは外周面Ｂに比べて指紋による汚染度が低いため、コード率が高くてエラー訂正用パリティが少なく付与されたエラー訂正コードを用いてデータを記録することにより、データの再生能力を向上させることができる。
【００１８】
図３は本発明の好ましい実施例によるベアタイプのホログラフィックロム用ディスクに適用されるエラー訂正コードの構造を示す断面図である。すなわち、データ記録の際、外周面Ｂが、ｋ２データシンボルとＴ２のパリティシンボルとからなるｎ個のコードワードシンボルからなると仮定すると、エラー訂正用パリティであるパリティシンボルＴ２を増加させデータシンボルｋ２を減らすることで、コード率ｋ２／ｎを低め、エラー訂正能力（ｎ−ｋ２）／２を向上させるエラー訂正コード構造でデータデータを記録する。
【００１９】
内周面Ａが、ｋ１データシンボルとＴ１のパリティシンボルとからｎ個のコードワードシンボルからなると仮定すると、エラー訂正用パリティであるパリティシンボルＴ１を減少させデータシンボルｋ１を増加させることで、コード率ｋ１／ｎを高めるエラー訂正コードの構造でデータを記録する。
【００２０】
つまり、外周面ＢのパリティシンボルＴ２は内周面ＡのシンボルＴ１より大きく、外周面Ｂのデータシンボルｋ２は内周面Ａのシンボルｋ１より小さい。多重エラー訂正コード率を有するエラー訂正コードをベアタイプのホログラフィックロム用ディスクに適用することにより、汚染度の低い部分だけでなく、汚染度の高い部分でもデータ再生効率を向上させることができる。
【００２１】
本発明は、ベアタイプのホログラフィックロム用ディスクにデータを記録するとき、ディスクの領域を汚染確率に応じてＮ等分し、Ｎ等分領域のなかで汚染確率の高い領域に、コード率が低くエラー訂正用パリティを多く付与したエラー訂正コードを用いてデータを記録し、汚染度が低くなるに従い、コード率を所定の設定間隔で高め、エラー訂正用パリティを所定の設定間隔で少なく付与したエラー訂正コードを用いてデータを記録するものである。
【００２２】
このように、本発明のエラー訂正コード構造はリード−ソロモンコードを適用して説明したが、ほかのエラー訂正コードにも適用することができる。
【００２３】
また、前記実施例においては、外周面と内周面のコードワードシンボルの数が同一であったが、外周面と内周面のコードワードシンボルの数が違ってもかまわない。しかし、このような場合にも、データシンボルとパリティシンボルの比率を適切に調節することにより、汚染度の低い部分だけでなく汚染度の高い部分のデータ再生効率を向上させることができる。
【００２４】
上記において、本発明の好適な実施の形態について説明したが、本発明の請求範囲を逸脱することなく、当事業者は種々の改変をなし得るであろう。
【図面の簡単な説明】
【００２５】
【図１】一般的なベアタイプのホログラフィックロム用ディスクに適用されるエラー訂正コードの構造を示す図である。
【図２】本発明の好適な実施例によるベアタイプのホログラフィックロム用ディスクの構造を示す平面図である。
【図３】本発明の好適な実施例によるベアタイプのホログラフィックロム用ディスクに適用されるエラー訂正コードの構造を示す図である。
【符号の説明】
【００２６】
Ａ    内周面
Ｂ    外周面
【図１】
2005129195.tif 000003
【図２】
2005129195.tif 000004
【図３】
2005129195.tif 000005